(57)【要約】【課題】  ケース内部に給水槽および排水槽を備え、その設置位置が制限されない製氷機を提供する。【解決手段】  製氷機本体１１０と、製氷機本体１１０内に設けられ、水を結氷させて氷を作るための製氷ユニット１３０と、製氷ユニット１３０に連結される冷却システム３０と、製氷ユニット１３０で作られた氷を貯蔵するための氷貯蔵庫１１２と、水を製氷ユニット１３０に供給するための製氷機本体１１０内部に設けられる給水槽１４１と、製氷ユニット１３０から排出される水を貯留するため製氷機本体１１０の内部に設けられる排水槽１５４を備えてなる。【選択図】      図３
2004191045.tif 000002
【特許請求の範囲】
【請求項１】
水を結氷させて氷を作るための製氷ユニットと、該製氷ユニットに連結される冷却システムと、前記製氷ユニットで作られた氷を貯蔵するための氷貯蔵庫と、前記製氷ユニットに水を流入させるための第１の給水管と、前記製氷ユニットで結氷されずに残っている水を排出させるための第１の排水管とを備える製氷機本体と、
前記製氷機本体と分離可能であり、その内部にそれぞれの所定サイズの水貯留空間を有する給水槽および排水槽と、前記給水槽内の水を前記製氷ユニットに供給し得るように前記第１の給水管と選択的に連結される第２の給水管と、前記製氷ユニットから排出される水を前記排水槽に流入させ得るように前記第１の排水管と選択的に連結される第２の排水管とを備える補助テーブルとを含み、
前記製氷機本体の第１給水管は、水を供給するための外部給水設備と、また、前記第１の排水管は、前記製氷ユニットで結氷されずに残っている水を排出させるための外部排水設備と、にそれぞれ選択的に連結され得ることを特徴とする製氷機。
【請求項２】
前記給水槽および前記排水槽は、前記補助テーブルから分離可能であることを特徴とする請求項１に記載の製氷機。
【請求項３】
前記給水槽に貯留された水を前記製氷ユニットに強制送出させるための給水ポンプと、
前記給水槽から前記製氷ユニットに供給される水の流量を検知する流量検知センサと、
前記流量検知センサからの信号を受けて前記給水ポンプを制御する制御装置とを含むことを特徴とする請求項１に記載の製氷機。
【請求項４】
前記給水ポンプと前記給水槽との間に設けられ、前記給水槽に供給される水の流れを選択的に遮断する給水弁を含むことを特徴とする請求項３に記載の製氷機。
【請求項５】
前記製氷ユニットと前記給水槽との間には、浄水装置が設けられることを特徴とする請求項１に記載の製氷機。
【請求項６】
前記製氷ユニットと前記浄水装置との間の水の流路上には、殺菌灯が設けられることを特徴とする請求項５に記載の製氷機。
【請求項７】
前記製氷ユニットは、
前記冷却システムと連結される蒸発管と、
水が充填される多数の製氷溝が形成され、前記製氷機本体に旋回自在に取り付けられるベースフレームと、
前記蒸発管に設けられ、前記製氷溝に供給された水の中に浸漬され、その周りに氷が生成される冷却突起を有する冷却板と、
前記ベースフレームの一側に設けられる排水案内路とを含み、
前記ベースフレームが旋回して一側に傾くことで前記各製氷溝内に結氷されずに残っている水が前記排水案内路に沿って前記排水槽に流れ込むことを特徴とする請求項１に記載の製氷機。
【請求項８】
前記氷貯蔵庫の一側には、前記排水案内路に沿って流れる水を受けて前記排水槽に案内する排水案内部材が設けられることを特徴とする請求項７に記載の製氷機。
【請求項９】
前記排水案内部材は、
前記排水槽に連結される管部と、
前記排水案内部材から流れる水を前記管部に案内する拡張部とを含んでなることを特徴とする請求項８に記載の製氷機。
【請求項１０】
前記氷貯蔵庫には、前記排水槽と連結される連結管が設けられ、前記氷貯蔵庫で発生する解氷水が前記連結管を介して前記排水槽に流入されることを特徴とする請求項１に記載の製氷機。
【請求項１１】
ケースと、
前記ケース内に設けられ、水を結氷させて氷を作るための製氷ユニットと、
前記製氷ユニットと連結される冷却システムと、
前記製氷ユニットで作られた氷を貯蔵するための氷貯蔵庫と、
前記ケース内に設けられ、その内部に貯留された水を前記製氷ユニットに供給する供水槽と、
前記ケースに設けられ、前記製氷ユニットに結氷されずに残っている水が排出されて貯留される排水槽とを含むことを特徴とする製氷機。
【請求項１２】
前記給水槽および前記排水槽は、前記ケース内部から分離可能であることを特徴とする請求項１１に記載の製氷機。
【請求項１３】
前記給水槽に貯留された水を前記製氷ユニットに強制送出させるための給水ポンプと、
前記給水槽から前記製氷ユニットに供給される水の流量を検知する流量検知センサと、
前記流量感知センサからの信号を受けて前記給水ポンプを制御する制御装置とを含むことを特徴とする請求項１１に記載の製氷機。
【請求項１４】
前記給水ポンプと前記給水槽との間に設けられ、前記給水槽に供給される水の流れを選択的に遮断する給水弁を含むことを特徴とする請求項１３に記載の製氷機。
【請求項１５】
前記製氷ユニットと前記給水槽との間には、浄水装置が設けられることを特徴とする請求項１１に記載の製氷機。
【請求項１６】
前記製氷ユニットと前記浄水装置との間の水の流路上には、殺菌灯が設けられることを特徴とする請求項１５に記載の製氷機。
【請求項１７】
前記製氷ユニットは、
前記冷却システムと連結される蒸発管と、
水が充填される多数の製氷溝が形成され、前記ケースに旋回自在に取り付けられるベースフレームと、
前記蒸発管に設けられ、前記製氷溝に供給された水の中に浸漬され、その周りに氷が生成される冷却突起を有する冷却板と、
前記ベースフレームの一側に設けられる排水案内路とを含み、
前記ベースフレームが旋回して一側に傾くことで前記各製氷溝内に結氷されずに残っている水が前記排水案内路に沿って前記排水槽に流れ込むことを特徴とする請求項１１に記載の製氷機。
【請求項１８】
前記氷貯蔵庫の一側には、前記排水案内路に沿って流れる水を受けて前記排水槽に案内する排水案内部材が設けられることを特徴とする請求項１７に記載の製氷機。
【請求項１９】
前記排水案内部材は、
前記排水槽に連結される管部と、
前記排水案内部材から流れる水を前記管部に案内する拡張部とを含んでなることを特徴とする請求項１８に記載の製氷機。
【請求項２０】
前記氷貯蔵庫には、前記排水槽と連結される連結管が設けられ、前記氷貯蔵庫で発生する解氷水が前記連結管を介して前記排水槽に流入されることを特徴とする請求項１１に記載の製氷機。
【発明の詳細な説明】
【技術分野】
【０００１】
本発明は、製氷機に関し、より詳しくは、ケース内部に給水槽および排水槽を設けることで、その設置位置を自由に変えることのできる製氷機に関する。
【背景技術】
【０００２】
一般に、製氷機は、供給された水を冷却させて氷を作る装置であって、図１には、特許文献１に開示の従来の製氷機が示されている。
【０００３】
図１に示されたように、従来の製氷機は、ケース１０および製氷ユニット２０を備えている。
【０００４】
ケース１０の内部には、製氷ユニット２０で作られた氷を貯蔵するための氷貯蔵庫１１が設けられ、氷貯蔵庫１１の下部には、圧縮機３１と凝縮機３２を有する冷却システム３０が設けられている。また、ケース１０には、水を製氷ユニット２０に供給するための給水管１２および製氷ユニット２０で結氷されずに残っている水を製氷機本体１０の外部に排出させるための排水管１３が連結される。給水管１２は、図示しない給水設備から製氷ユニット２０まで延長するように設けられ、排水管１３は、氷貯蔵庫１１に設けられた集水部１４から図示しない排水設備まで延長するように設けられている。
【０００５】
製氷ユニット２０は、図２に示されたように、水が満たされる水皿２１、冷却板２２および蒸発管２３を含む。水皿２１は、旋回軸２４に回転可能に支持される支持部材２５と結合され、その内部に揺動板２６が設けられる。支持部材２５は、旋回モータ（ＡＭ）によって旋回軸２４を中心に回転しながら水皿２１を一側方向に傾けて水皿２１内に残っている水を排出させ、揺動板２６は、揺動モータ（ＲＭ）によって上下に揺動しながら水皿２１内の水を揺動させ、水中の気泡を除去する。水皿２１の一側には、水皿２１から排出される水を集水部１４に案内する排水案内板２７が設けられている。
【０００６】
冷却板２２の下面には、水中に浸漬され、その周りに氷が成長する多数の冷却突起２８が設けられている。
【０００７】
蒸発管２３は、冷却板２２上面に設けられ、冷却システム３０（図参照）と連結される。蒸発管２３内へは冷媒が流れ、この冷媒の熱交換によって冷却板２２および冷却突起２８が冷却される。
【０００８】
以下、図１および図２を参照して上記の構成を有する従来の製氷機の作用について説明する。
【０００９】
給水設備から供給された水が給水管１２を介して水皿２１内に流入され、冷却突起２８が水に浸漬されると、蒸発管２３内を流れる冷媒の熱交換によって氷点以下に冷却された冷却突起２８の周りにおける水の結氷が始まる。この時、揺動モータ（ＲＭ）が作動し、水に浸っている揺動板２６が上下に揺動しながら水中の気泡を除去する。
【００１０】
冷却突起２８の周りに所定大きさの氷が生成されると、次いで、揺動板２６は、揺動を止め、蒸発管２３内には、凝縮機３２を経ずに圧縮機３１から吐出された高熱の冷媒が直接供給され、生成された氷を冷却突起２８から外す。そして、水皿２１は、旋回モータ（ＡＭ）によって支持部材２５と共に旋回軸２４を中心に傾ける。従って、生成された氷は、氷貯蔵庫１１に落ち、水皿２１内に結氷されずに残っている水は、排水案内板２７に沿って集水部１４に流れ込む。集水部１４へ案内された水は、排水管１３を介して排水設備に排出される。
【００１１】
しかし、このような従来の製氷機では、製氷ユニット２０に水を供給するための水道直結の給水設備および結氷されずに残っている多量の水を排出させるための排水設備と連結しなければならないため、製氷機の設置場所が制限されるという問題点がある。
【特許文献１】実開平４−６１０１０号公報
【発明の開示】
【発明が解決しようとする課題】
【００１２】
本発明は、上記のような問題点を解決するためになされたもので、本発明の目的は、水の最小使用および最小排水の発生で製品運用が可能であるように技術的に構成し、ケース内に給水槽および排水槽を構成することによって、すぐ隣に運営者が居なくても数日間運用でき、その設置位置が自由な製氷機を提供することにある。
【課題を解決するための手段】
【００１３】
上記の目的を達成するための本発明による製氷機は、水を結氷させて氷を作るための製氷ユニットと、前記製氷ユニットに連結される冷却システムと、前記製氷ユニットで作られた氷を貯蔵するための氷貯蔵庫と、前記製氷ユニットに水を流入させるための第１の給水管と、前記製氷ユニットで結氷されずに残っている水を排出させるための第１の排水管とを備える製氷機本体、および、前記製氷機本体と分離可能であり、その内部にそれぞれ所定大きさの水貯留空間を有する給水槽および排水槽と、前記給水槽の水を前記製氷ユニットに供給し得るように前記第１の給水管と選択的に連結される第２の給水管と、前記製氷ユニットから排出される水を前記排水槽に流入し得るように前記第１の排水管と選択的に連結される第２の排水管とを備える補助テーブルを含み、前記製氷機本体の第１給水管は、水を供給するための外部給水設備と、また、前記第１の排水管は、前記製氷ユニットで結氷されずに残っている水を排出させるための外部排水設備と、にそれぞれ選択的に連結され得ることを特徴とする。
【００１４】
ここで、前記給水槽および前記排水槽は、前記補助テーブルから分離可能であることが好ましい。
【００１５】
上記の構成を有する本発明による製氷機は、前記給水槽に貯留された水を前記製氷ユニットに強制送出させるための給水ポンプ、前記給水槽から前記製氷ユニットに供給される水の流量を検知する流量検知センサ、および、前記流量検知センサからの信号を受けて前記給水ポンプを制御する制御装置を備えることが好ましい。
【００１６】
また、前記給水ポンプと前記給水槽との間には、前記給水槽に供給される水の流れを選択的に遮断する給水弁が設けられることが好ましい。
【００１７】
また、前記製氷ユニットと前記給水槽との間には浄水装置が設けられることが好ましく、前記製氷ユニットと前記浄水装置との間の水の流路上には殺菌灯が設けられることが好ましい。
【００１８】
また、前記製氷ユニットは、前記冷却システムと連結される蒸発管、水が満たされる多数の製氷溝が形成され、前記ケースに旋回可能に取り付けられるベースフレーム、前記蒸発管に設けられ、前記製氷溝に供給された水の中に浸漬され、その周りに氷が生成される冷却突起を有する冷却板、および、前記ベースフレームの一側に設けられる排水案内路を含み、前記ベースフレームが旋回して一側に傾くことで前記各製氷溝内に結氷されずに残っている水が前記排水案内路に沿って前記排水槽に流れ込むことが好ましい。
【００１９】
また、前記氷貯蔵庫の一側には、前記排水案内路に沿って流れる水を受けて前記排水槽に案内する排水案内部材が設けられることが好ましく、前記排水案内部材は、前記排水槽に連結される管部および前記排水案内部材から流れる水を前記管部に案内する拡張部を備えてなることが好ましい。
【００２０】
また、前記氷貯蔵庫には、前記排水槽と連結される連結管が設けられ、前記氷貯蔵庫で発生する解氷水が前記連結管を介して前記排水槽に流入されることが好ましい。
【００２１】
さらに、本発明の他の実施例による製氷機は、ケース、前記ケース内に設けられ、水を結氷させて氷を作るための製氷ユニット、前記製氷ユニットと連結される冷却システム、前記製氷ユニットで作られた氷を貯蔵するための氷貯蔵庫、前記ケース内に設けられ、その内部に貯留された水を前記製氷ユニットに供給する供水槽、および、前記ケースに設けられ、前記製氷ユニットに結氷されずに残っている水が排出されて貯留される排水槽を備えることを特徴とする。
【００２２】
ここで、前記給水槽および前記排水槽は、前記ケース内部から分離可能であることが好ましい。
【発明の効果】
【００２３】
本発明によれば、水を結氷させて氷を作る製氷ユニット１３０に水を供給するための給水槽１４１と、製氷ユニット１３０で結氷されずに排出される水を収容し得る排水槽１５４とが製氷機本体１１０内に設けられているため、給水設備および排水設備と連結しなければならない従来の製氷機に比べて設置場所が制限されないという効果を奏する。
【００２４】
また、本発明によれば、製氷に必要な適正量の水のみを製氷ユニット１３０に供給するため、捨てられる水の量を減らし水資源の浪費を防ぐことができるという効果を奏する。
【発明を実施するための最良の形態】
【００２５】
以下、添付の図面を参照して本発明の好適な実施例による製氷機について説明する。なお、従来の技術と構成および作用が同様な部分については、同一の参照符号を付して説明する。
【実施例】
【００２６】
図３に示されたように、本発明による製氷機１００は、大きく、製氷機本体１１０と補助テーブル１２０とが分離可能に結合される構成となっており、より具体的には、製氷機本体１１０の外観をなす上部ケース１１１と、補助テーブル１２０の外観をなす下部ケース１２１と、供給された水を結氷させて氷を作る製氷ユニット１３０と、製氷ユニット１３０に水を供給するための給水システム１４０と、製氷ユニット１３０の水を排出させるための排水システム１５０とを含む。
【００２７】
上部ケース１１１内の一側には、圧縮機３１および凝縮機３２（図１参照）を含む冷却システム３０が設けられている。上部ケース１１１には、水を供給されて氷を作る製氷ユニット１３０と、製氷ユニット１３０で作られた氷を貯蔵する氷貯蔵庫１１２が設けられている。また、下部ケース１２１には、給水槽１４１および排水槽１５４が設けられ、氷貯蔵庫１１２は、連結管１１３を介して排水槽１５４と連結される。
【００２８】
また、上部ケース１１１には、第１の給水管１１４および第１の排水管１１５が結合され、下部ケース１２１には、第２の給水管１２２および第２の排水管１２３が結合される。上部ケース１１１は、下部ケース１２１の上方に置かれるように設けられ、第１の給水管１１４は第２の給水管１２２と、第１の排水管１１５は第２の排水管１２３と連結される。
【００２９】
製氷ユニット１３０は、図３および図４に示されたように、蒸発管１３１、ベースフレーム１３２および冷却板１３３を含む。
【００３０】
蒸発管１３１は、冷却システム３０と連結され、冷却板１３３に形成された収容リセス１３３ａにその一部が埋め込まれるように配設される。蒸発管１３１内には冷媒が流れ、この冷媒の熱交換によって蒸発管１３１の周囲が冷却される。
【００３１】
ベースフレーム１３２は、水が満たされる複数の製氷溝１３４を有し、一側方向に傾け得るように旋回軸１３５を基準にして９０°下方向に旋回できるように設けられる。製氷溝１３４は、冷却システム３０の冷却容量などを考慮して適正な数が全て同じ体積を有するように形成される。各製氷溝１３４は、隣接した製氷溝１３４とその一部が重なり、このように製氷溝１３４が重なった部分には水の流路となる交差部１３４ａが形成される。
【００３２】
冷却板１３３は、その上方には蒸発管１３１が設けられ、その下方にはベースフレーム１３２の各製氷溝１３４に満たされる水の中に浸漬される複数の冷却突起１３６が設けられている。冷却突起１３６は、蒸発管１３１内を流れる冷媒の熱交換によって氷点以下に冷却され、その周りに水が結氷され、氷が成長する。
【００３３】
給水システム１４０は、図４に示されたように、給水槽１４１、給水ポンプ１４２、浄水装置１４３、殺菌灯１４４、給水弁１４５および流量検知センサ１４６を含む。
【００３４】
給水槽１４１は、製氷溝１３４に供給される水を貯留し、下部ケース１２１内に設けられる。給水槽１４１内の水が使い尽くされると、管理者は、給水槽１４１を下部ケース１２１から分離して水を補充した後、再度下部ケース１２１に入れる。水の充填された給水槽１４１は重いため、管理者が給水槽１４１を容易に扱うことができるように給水槽１４１の両側には、移動輪１４１ａが設けられている。
【００３５】
給水ポンプ１４２は、給水槽１４１内の水を製氷溝１３４に強制送出させるためのもので、給水槽１４１と連結されるように設けられる。給水ポンプ１４２が作動し、給水槽１４１から送出された水が浄水装置１４３と殺菌灯１４４を通過しながら浄化がなされる。殺菌灯１４４は、防水処理が施されたチューブ１４７内に設けられ、浄水装置１４３を通過した水は、チューブ１４７と殺菌灯１４４との間の空間を介して給水弁１４５に移動される。そして、給水弁１４５に移動された水は、流量感知センサ１４６を経た後、給水チューブ１４８を介してベースフレーム１３２の各製氷溝１３４に供給される。流量検知センサ１４６は、給水チューブ１４８を介して製氷溝１３４に供給される水の流量を検知し、その検知された流量がベースフレーム１３２の各製氷溝１３４を完全に満たすことのできる流量となると、その信号を制御装置１６０（図６参照）に送る。給水チューブ１４８は、冷却板１３３の一側に形成された貫通孔１３４ｂを介してその端部がベースフレーム１３２の製氷溝１３４と所定距離だけ隔てて設けられる。
【００３６】
排水システム１５０は、図５に示されたように、旋回モータ１５１、排水案内路１５２、排水案内部材１５３および排水槽１５４を含む。
【００３７】
旋回モータ１５１は、ベースフレーム１３２を一側方向に傾けるためもので、ギヤボックス１５５および回転軸１５６（図４参照）を介してベースフレーム１３２と連結される。旋回モータ１５１が駆動されると、その駆動力は、ギヤボックス１５５を介して回転軸１５６に伝達され、回転軸１５６と結合されたベースフレーム１３２は、旋回軸１３５（図３参照）を中心にほぼ９０°下方向に旋回される。
【００３８】
排水案内路１５２は、各製氷溝１３４内に結氷されずに残っている水の排出をガイドするためのもので、ベースフレーム１３２の一側に設けられている。製氷の完了後、旋回モータ１５１によってベースフレーム１３２が傾くと、各製氷溝１３４内の水は、排水案内路１５２を介して排水案内部材１５３に流れ込む。
【００３９】
排水案内部材１５３は、排水案内路１５２から落ちる水が他のところに落ちることなく排水槽１５４に流れ込むように誘導するためのもので、氷貯蔵庫１１２の一側に設けられる。また、排水案内部材１５３は、管部１５３ａと拡張部１５３ｂとで構成される。管部１５３ａは、拡張部１５３ｂに落ちた水を排水槽１５４に誘導するため排水槽１５４に連結される。拡張部１５３ｂは、ベースフレーム１３２が水平状態でほぼ９０°下方向に旋回する時、排水案内路１５２がどの位置にあっても水が他のところに落ちることなく管部１５３ａに流れ込むように入口の広い漏斗状となっている。
【００４０】
排水槽１５４は、ベースフレーム１３２の各製氷溝１３４から排出された水を貯留するためのもので、製氷ユニット１３０（図３参照）の下部に設けられる。排水槽１５４に水が満たされると、管理者は、排水槽１５４を下部ケース１２１（図３参照）から分離して水をあけた後、再度下部ケース１２１に入れる。
【００４１】
以下、図３乃至図６を参照して本発明の好適な実施例による製氷機の作用について説明する。
【００４２】
先ず、製氷溝１３４に水を供給するため給水ポンプ１４２が作動すると、給水ポンプ１４２は、給水槽１４１内の水を強制送出させる。給水槽１４１から引き上げられた水は、浄水装置１４３を通過した後、殺菌灯１４４が設けられたチューブ１４７に移動される。この時、水中に含まれている不純物や細菌などが除去される。このように浄化された水は、第２の給水管１２２および第１の給水管１１４を介して給水弁１４５に移動された後、流量検知センサ１４６を通過し、給水チューブ１４８を介して製氷溝１３４に供給される。給水チューブ１４８から吐出されて１つの製氷溝を満たした水は、製氷溝１３４と製氷溝１３４との間の交差部１３４ａを介して隣接した他の製氷溝１３４に移動しながらベースフレーム１３２の全ての製氷溝１３４に流れ込む。
【００４３】
なお、ベースフレーム１３２の各製氷溝１３４を全て満たすことのできる量の水が流量検知センサ１４６を通過すると、流量検知センサ１４６は、その信号を制御装置１６０に送る。流量検知センサ１４６からの信号を受けた制御装置１６０は、給水弁１４５が水の流れを遮断するようにすると共に、給水ポンプ１４２の作動を止めるようにする。従って、製氷に必要な適正な量の水のみが製氷溝１３４内に流入される。
【００４４】
製氷溝１３４内に水が満たされた後、制御装置１６０は、冷却システム３０を稼動させ、製氷ユニット１３０の蒸発管１３１内に冷媒が流れるようにすると共に氷が透明に結氷されるようにベースフレーム１３２を上下に揺動させ、製氷動作を進行させる。蒸発管１３１内を流れる冷媒の熱交換によって冷却板１３３および冷却突起１３６が氷点以下に冷却されながら冷却突起１３６の周りに水が結氷され、氷が成長する。
【００４５】
冷却突起１３６の周りに所定大きさの氷が生成されると、製氷完了検出手段１７０は、製氷完了時点を検出し、その信号を制御装置１６０に送る。この時、制御装置１６０は、冷却システム３０を制御して蒸発管１３１内に圧縮機３１から凝縮機３２（図１参照）を経ずにバイパスされた高熱の冷媒が流れるようにすると共に、旋回モータ１５１を駆動させ、ベースフレーム１３２を旋回軸１３５を中心に旋回させる。この時、ベースフレーム１３２は、水平状態でほぼ垂直の下方向に傾きながら製氷溝１３４内に結氷されずに残っている水は、排水案内路１５２に流入される。次いで、排水案内路１５２の水は、排水案内路１５２に沿って流れ、排水案内部材１５３の拡張部１５３ｂに落ちた後、管部１５３ａと第１および第２の排水管１１５、１２３を介して排水槽１５４に流入される。
【００４６】
また、蒸発管１３１は、その内部を流れる高熱の冷媒によって加熱され、冷却突起１３６の周りに生成された氷は、冷却突起１３６から分離され、氷貯蔵庫１１２に落ちる。氷貯蔵庫１１２において氷が溶けて生成される解氷水は、連結管１１３および第２の排水管１２３を介して排水槽１５４に流入される。
【００４７】
なお、前述の実施例による製氷機１００は、製氷機本体１１０を補助テーブル１２０から分離して水を供給するための外部給水設備および水を排出させるための外部排水設備と連結し、別に使用することができる。
【００４８】
図７には、本発明の他の実施例による製氷機が示されている。本発明の他の実施例による製氷機２００は、前述の好適な実施例による製氷機１００とその構成が類似している。但し、上部および下部チャンバー２１１、２１２に仕切られた１つのケース２１０内に製氷ユニット２２０と、冷却システム２３０と、給水システム２４０と、排水システム２５０とが設けられている。
【００４９】
上部チャンバー２１１には、水を供給されて氷を作る製氷ユニット２２０と、製氷ユニット２２０と連結される冷却システム２３０と、製氷ユニット２２０で作られた氷を貯蔵する氷貯蔵庫２１３とが設けられている。
【００５０】
下部チャンバー２１２には、給水システム２４０を構成する給水槽２４１、給水ポンプ２４２、浄水装置２４３および殺菌灯２４４が設けられ、また、下部チャンバー２１２の一側には、排水システム２５０を構成する排水槽２５１が設けられている。
【００５１】
給水槽２４１内の水は、給水ポンプ２４２によって送出され、浄水装置２４３、殺菌灯２４４、給水弁２４５および流量検知センサ２４６を介して製氷ユニット２２０に供給される。そして、製氷ユニット２２０で結氷されずに残っている水は、下部チャンバー２１２の排水槽２５１に落ち、貯留される。
【００５２】
他の構成は、図３に示されている製氷機１００の構成と同様であるため、その詳細な説明および製氷機の作用に関する説明は、省略する。
【００５３】
前述の実施例に係る本発明の製氷機は、所定の体積を有する複数の製氷溝１３４へ製氷に必要な所定量の水のみが供給されるため、製氷に必要な水の量および結氷されずに捨てられる水の量が少ない。従って、下部ケース２１２内に設けられる給水槽１４１および排水槽１５４のみによっても水の供給および排水が円滑に行われる。
【００５４】
以上の実施例は、本発明の原理を例示するためのほんの一例にすぎず、本発明がこのような場合にのみ限定されるものではないことはいうまでもない。本発明の当業者であれば、特許請求の範囲の思想および範疇を逸脱することなく本発明を種々に変更および修正して実施することができ、その変更および修正は、本発明の範囲に属するものとみなされるべきである。
【図面の簡単な説明】
【００５５】
【図１】従来の製氷機の構成を概略的に示す断面図である。
【図２】図１に示された製氷機の製氷ユニットの構成を概略的に示す断面図である。
【図３】本発明の好適な実施例による製氷機の構成を概略的に示す斜視図である。
【図４】図３に示された製氷機の給水システムの構成を概略的に示す断面図である。
【図５】図３に示された製氷機の排水システムの構成を概略的に示す断面図である。
【図６】本発明の好適な実施例による製氷機の概略的な制御ブロック図である。
【図７】本発明の他の実施例による製氷機の構成を概略的に示す斜視図である
【符号の説明】
【００５６】
１００  製氷機
１１０  製氷機本体
１２０  補助テーブル
１１１、１２１  上・下部ケース
１１２  氷貯蔵庫
１３０  製氷ユニット
１３１  蒸発管
１３２  ベースフレーム
１３３  冷却板
１３４  製氷溝
１３５  旋回軸
１３６  冷却突起
１４０  給水システム
１４１  給水槽
１４２  給水ポンプ
１４３  浄水装置
１４４  殺菌灯
１４５  給水弁
１４６  流量検知センサ
１５０  排水システム
１５１  旋回モータ
１５２  排水路
１５３  排水案内部材
１５４  排水槽
１６０  制御装置
１７０  製氷完了検出手段
【図１】
2004191045.tif 000003
【図２】
2004191045.tif 000004
【図３】
2004191045.tif 000005
【図４】
2004191045.tif 000006
【図５】
2004191045.tif 000007
【図６】
2004191045.tif 000008
【図７】
2004191045.tif 000009